(57)【要約】【課題】蠕動ポンプのカセットを提供する。【解決手段】この蠕動ポンプのカセット（１８）はその一部分（２６）との連結により不動化される締付け調整ユニット（５６）を備えている。前記連結は、締付けの調整中、ユニットが変位可能であるように、解除可能である。【選択図】図４
2008503688.tif 000002
【特許請求の範囲】
【請求項１】
蠕動ポンプ（２）用のカセット（１８）であって、カセットの一部分（２６）との連結により適所に保持される締付け制御ユニット（５６）を有している蠕動ポンプ（２）用のカセット（１８）において、締付け強さの調整中、ユニットを移動させるためにこの連結を解除することができることを特徴とするカセット（１８）。
【請求項２】
前記連結は、形状相補性による連結であることを特徴とする請求項１に記載のカセット。
【請求項３】
前記連結は、はめ歯連結であることを特徴とする請求項１または２に記載のカセット。
【請求項４】
ユニット（５６）を押すことにより連結が解除されることができるように構成されていることを特徴とする請求項１ないし３のうちのいずれか１項に記載のカセット。
【請求項５】
ユニット（５６）は、カセット（１８）の外側から接近されることができ、好ましくはカセットの外側で延びていることを特徴とする請求項１ないし４のうちのいずれか１項に記載のカセット。
【請求項６】
ユニット（５６）は、カセットの上側部から上方に延びていることを特徴とする請求項１ないし５のうちのいずれか１項に記載のカセット。
【請求項７】
カム（３２）と、ユニット（５６）とカムとの間に介在されたばね（３８）とを有していることを特徴とする請求項１ないし６のうちのいずれか１項に記載のカセット。
【請求項８】
ユニットと接触しているカムを有していることを特徴とする請求項１ないし６のうちのいずれか１項に記載のカセット。
【請求項９】
蠕動ポンプ（２）であって、蠕動ポンプの一部分（２６）との連結により適所に保持されている締付け制御ユニット（５６）を有する蠕動ポンプ（２）において、締付け強さの調整中、ユニットを移動させるために、連結を解除することができることを特徴とする蠕動ポンプ（２）。
【請求項１０】
蠕動ポンプ（２）の締付けを制御する方法において、
蠕動ポンプの一部分（２６）に対するユニット（５６）の連結を解除する工程と、
ユニットを移動させる工程と、
を有することを特徴とする蠕動ポンプ（２）の締付けを制御する方法。
【発明の詳細な説明】
【技術分野】
【０００１】
本発明は蠕動ポンプに関する。
【背景技術】
【０００２】
蠕動ポンプが、長年の間、知られてきており、医療および研究目的で一般に使用されている。蠕動ポンプの特徴は、ポンプの部品が液体に絶えず触れることなしに管を通して液体を移動させることができることである。従って、外部汚染に敏感である血液のような液体を圧送することが可能である。代表的には、ポンプは、移動すると、可撓性の管の一部を圧縮する回転ローラを備えており、これにより液体を管内で推進する。
例えば、このようなポンプは文献ヨーロッパ特許第３３９８５７号に記載されている。可撓性の管は、絶対的に耐漏れ性のままでありながら、これらの拘束を持続しなければならない。前記文献におけるポンプは取外し可能なカセットを有しており、各々のカセットは、管と、管とローラとの間の良好な接触を確保するために管をローラに押し付ける摺動可能なカムとを有している。管の寿命を維持するために、ポンプはカムにより管に及ぼされる締付け強さを調整する手段を有している。これらの手段は、角効果によりカムに作用するためにカセットの内側で移動する２つのトラベラーを有している。各トラベラーはロッドのねじ部分と連結されており、ロッドの回転はノブの外部から制御されることができる。しかしながら、この構成は、長い範囲に対する締付け力を変えることが必要である場合、締付け手段を設定するのに比較的長い時間を必要とする不都合をもたらしている。
【発明の開示】
【発明が解決しようとする課題】
【０００３】
本発明の目的は締付け手段の使用を容易にし、特に早めることである。
【課題を解決するための手段】
【０００４】
この目的で、本発明は、蠕動ポンプ用のカセットであって、カセットの一部分との連結により適所に保持される締付け制御ユニットを有しており、締付け強さの調整中、ユニットを移動させるためにこの連結を解除することができる蠕動ポンプ用のカセットを記載する。
このようにして、連結が解除されると、大きい範囲にわたってユニットを容易に且つすばやく移動させることができる。
【０００５】
本発明によれば、カセットはさらに、下記の特徴のうちの少なくとも１つを有することもできる。
連結は形状相補性による連結である。
連結は鋸歯連結である。
カセットは、ユニットに押し付けることにより連結を解除することができるように取り付けられる。
ユニットはカセットの外側から接近されることができ、好ましくはカセットの外側で延びている。
ユニットはカセットの頂部分の上に延びている。
カセットはカムと、ユニットとカムとの間のばねとを有している。
カセットはユニットと接触しているカムを有している。
【０００６】
また、本発明は、蠕動ポンプであって、蠕動ポンプの一部分との連結により保持される締付け制御ユニットを有しており、そして締付け強さの調整中、ユニットを移動させるためにこの連結を解除することができる蠕動ポンプを提供する。
最後に、本発明は、蠕動ポンプを締付けるための制御方法であって、
蠕動ポンプの一部分に対するユニットの連結を解除する工程と、
ユニットを移動させる工程と、
を有する制御方法を提供する。
本発明の他の特徴および利点は、添付図面に基づいていずれの制限をも伴わない例として挙げられる実施形態の好適な形態の下記の説明に示されている。
【発明を実施するための最良の形態】
【０００７】
添付図面を参照して本発明の実施形態を以下に詳細に説明する。
図１ないし図５は本発明の実施形態の好適な形態によるカセットを備えた蠕動ポンプを示している。本質的に公知なように、ヘッド２は主な対称軸線６を呈するクランクケース４を有している。このヘッドは、この場合、８個である１組のローラ８を有している。これらのローラは中央の支持体１０に回転形式で設けられている。各ローラは、ここでは、球状の形状のものであり、各ローラの軸線は主軸線６と平行である。ポンプは、図示されていないが、本質的に公知であって、支持体１０を軸線６のまわりに回転させる手段を有している。カーター４は２つの主な前壁部１２および後壁部１４を有しており、これらの壁部は、図１に示されるもののような幾つかのカセット１８を受入れるためにそれらの間にハウジング１６を構成している。カセットは、図２に示されるように、すなわち、互いに接触して並んで互いに平行にハウジング１６内に保持されることができ、各カセットは壁部１２、１４と平行に延びている。壁部１２、１４は、軸線６と平行に延びている２つのロッド２０により互いに接合されており、ロッド２０は、これらと関連しているカセット１８の各々のための支持係止機構として作用する。各カセットは、基本的に平らであって、適所にあると、軸線６と垂直である平面において延びている。
【０００８】
図３に示されるように、各カセットは、ボディ２２と、このボディ２２において取外し可能に装着され、本質的にボディにおける切欠き２５を通っている可撓性の管とを有している。ボディは本質的に逆Ｕ字形であり、このボディは、２つの脚部２８が下方に延びている２つの端部を呈しているクロスブレーシング２６を構成する細長い頂部を有しており、これらの２つの端部から。
切欠き２５は脚部２８の下端部の近くに位置決めされている。これらの端部は、カセット１８をヘッド２に取付けて係止する手段を構成している。
【０００９】
脚部２８間には、キャビティ３０がクロスブレーシング２６に面して位置決めされている。カセット１８はキャビティ３０に受入れられているカム３２を有している。このカム３２は、ローラ８に面するように設計されたサドル状の中空部をその下側に備えて本質的に平らな矩形の形状を有している。図３に示されるように、管２４はこのカムの縁部３４に寄りかかっている。この縁部に寄りかかっている管の部分は切欠き２５に収容された管の部分の間に延びている部分である。カセットは２つの前壁部および後壁部３６を有しており、各壁部はカム３２の各側を部分的に覆うように一方の脚部２８から他方の脚部まで延びている。
この実施形態では、カセット１８はブレードばね３８を有している。ばねの中間部はクロスブレーシング２６の中央部分の近くで延びている。ばねの先端部はカム３２に取付けられており、この目的でフック４０がカムの上縁部４１から突出している。可撓性の管は明確のために図４および図５では削除されている。
【００１０】
壁部３６に位置決めされた開口部４２がカセットの各側にばね３８の先端部を現している。
カセット１８は矩形の平行六面体の一般形状を持つスライド５０を有している。スライド５０の下側はばね３８の中間領域の上側部と接触している。好ましくは、スライドはこの側部に取付けられている。スライドは可動性であり、クロスブレーシング２６の前側部および後側部にそれぞれ位置決めされて互いに向かい合っている２つのチャンネル５２内で摺動する。スライドの中間部分はチャンネルに収容されていない。チャンネルはスライドが垂直方向に移動し得るように垂直方向に延びている。
【００１１】
クロスブレーシング２６の中間部分は、この場合、トラベラー５６である制御ユニットを受入れるために、チャンネル５２の反対側に中空部５４を有している。
中空部５４は穴を形成しているクロスブレーシング２６の上側部まで延びているシャフトを通って上方に延びており、上側部の上方に突出しているトラベラーのフィンガー６０がこの穴を通って延びている。シャフトの基部の各側において、キャビティ５４は、下方に配向されていて、一連のはめ歯で鋸歯状である上側部５５を呈している。トラベラー５６はフィンガー６０の各側に相補的に鋸歯状である上側部５７を呈している。従って、この側部５７はその相補形状によりトラベラー６０を停止させるために、換言すると、トラベラーのはめ歯がクロスブレーシング２６のはめ歯に引っ掛かるときにクロスブレーシング２６の上側部５５にラッチ掛けすることができる。
トラベラーの下側６２はトラベラーに角構成および効果を与えるように傾斜されている。この側部はスライド５０の上側部に下方に、換言すると、管２４に向けて作用するためにスライド５０の上側部と接触する。
【００１２】
従って、ばね３８の機能はトラベラー５６に上方におよびカム３２に下方に作用することによってトラベラー５６およびカム３２を分離することである。他方、カムは可撓性の管により底部に停止される。換言すると、トラベラー５６は、ローラ８に向けて管に作用するカム３２に下方に作用するばね３８に寄りかかるスライド５０に寄りかかっている。
トラベラー５６は管に対するカムの締付け強さを制御する。静止状態では、トラベラー５６はクロスブレーシング２６との相補形状により鋸歯連結により停止されている。管に対するカムの締付け強さを変更するためには、フィンガー６０を押し下げ、これによりトラベラーの上側部とクロスブレーシング２６の上側部との連結を解除する。換言すると、形状相補性による連結が断たれる。従って、トラベラーはそのフィンガー６０を掴むことによって左に或は右に移動されることができる。この例における下側６２の傾動およびその角度の配向を仮定すると、締付けは、トラベラーが右に移動されれば、緩くなり、トラベラーが左に移動されれば、強くなる。
必要とされる締付け強さが得られれば、トラベラーを単に離すことにより、ばねがトラベラーをクロスブレーシング２６の上側部に適所に係止する。
【００１３】
この装置は、流量および圧力ならびに管の寿命を最適にするために、例えば、その直径に応じて管２４の挟みつけ強さを制御する。また、この方法によれば、使用者は管内の推進液体の或る特性に対処することができる。
トラベラーを移動させることにより、ばねの圧縮を変え、従って、相互作用によりカムを介した管の挟みつけの強さを変える。はめ歯の相補形状により、トラベラーがその静止位置に留まる。トラベラーを直接に移動させることによって、締付けの強さを角効果により簡単に且つすばやく調整することができる。
カセットの上側部は、所定の締付け強さに対応するトラベラーの種々の位置を示すために印付けされることができる。従って、締付け強さを制御するために目盛りを使用することができる。例えば、目盛りは使用される管の直径に基づくことができる。
【００１４】
トラベラーをカセットの頂部に設置することにより、締付け強さを制御し、得られた設定値を読み取ることが容易になる。本発明は、向上された効率および管の長い寿命ために挟みつけを最適にすることができる。
本発明は、設定値の反復性を改良し、換言すると、異なる時点で同じ締付け強さを再現するのを助成する。
スライド６０、すなわち、中間部品の存在により、トラベラーとカムとの間の横方向の力の伝達を防ぐのを助成する。
【００１５】
当然、本発明のフレームワークから外れることなしに、本発明の多くの変更例を想像することができる。形状相補性による連結ははめ歯以外の手段で構成されることができる。例えば、波形状を使用することができる。
また、連結解除作用はトラベラーを押すことによる以外の手段で構成されることができる。
カセットはばねを欠くことができる。これをなす際、トラベラーはカムと直接接触することができる。
本発明は取外し可能なカセットを有していない蠕動ポンプで実施されることができる。
制御ユニットは、例えば、ボルト／ナット連結と関連している回転ユニットであることができる。
制御ユニットは、これと関連された連結の解除特徴と関係なく、カセットの頂部に接近可能であるように設置されることができる。
【図面の簡単な説明】
【００１６】
【図１】本発明の実施形態の好適な形態による蠕動ポンプのヘッドおよびカセット（未装着）の斜視図である。
【図２】ヘッドに装着されたカセットを示す図１と同様な図である。
【図３】図２のカセットを備えているポンプヘッドの横断面図である。
【図４】幾つかの隠れた部分が点線で示されている図１のカセットを示す正面図である。
【図５】図１のカセットの斜視図である。
【図１】
2008503688.tif 000003
【図２】
2008503688.tif 000004
【図３】
2008503688.tif 000005
【図４】
2008503688.tif 000006
【図５】
2008503688.tif 000007
【国際調査報告】
2008503688.tif 000008
2008503688.tif 000009
2008503688.tif 000010
2008503688.tif 000011
2008503688.tif 000012
2008503688.tif 000013